(57)【要約】【課題】開封後、飲料等の液体が周縁隆起リム内側のこの環状窪みに残留しないようにしたプルトップ液体収容缶を得る。【解決手段】プルトップ液体収容缶１の缶頂面６の中心と開口４の中心とを結ぶ直径方向ライン８に交差する周縁の隆起リム部分を中心にして隆起リム２を加工し、隆起リムの内側に存在する環状窪み７が隆起リム２によって堰止められず液体が流出し易い形状に飲み口又は注ぎ口９を加工する。例えば、下方に窪んだ飲み口又は注ぎ口９、半径方向外方かつ僅かに下方に円弧状に曲げ出した飲み口又は注ぎ口９Ａ、隆起リム２の肉厚が徐々に薄くなるよう加工した飲み口又は注ぎ口９Ｂ、缶頂面６の中心と開口４の中心とを結ぶ直径方向ライン８に交差する周縁の隆起リムの２個のポイント間で、前記開口の中心に関して近位のポイントに向かって隆起リム２を下方に傾斜させた飲み口又は注ぎ口９Ｃを設ける。【選択図】　　　　図２
2004091022.tif 000002
【特許請求の範囲】
【請求項１】
プルリングを操作することにより頂面脆弱部に開口を開けるプルトップ液体収容缶において、缶頂面の中心と前記開口の中心とを結ぶ直径方向ラインに交差する周縁の隆起リム部分を中心にして隆起リムを加工し、隆起リムの内側に存在する環状窪みが隆起リムによって堰止められず液体が流出し易い形状に飲み口又は注ぎ口を加工したことを特徴とするプルトップ液体収容缶。
【請求項２】
缶頂面の中心と前記開口の中心とを結ぶ直径方向ラインに交差する周縁の隆起リム部分を中心にして、プレス又は切削加工によって下方に窪んだ飲み口又は注ぎ口を設けた請求項１記載のプルトップ液体収容缶。
【請求項３】
缶頂面の中心と前記開口の中心とを結ぶ直径方向ラインに交差する周縁の隆起リム部分を中心にして半径方向外方かつ僅かに下方に円弧状に曲げ出す加工によって飲み口又は注ぎ口を設けた請求項１記載のプルトップ液体収容缶。
【請求項４】
缶頂面の中心と前記開口の中心とを結ぶ直径方向ラインに交差する周縁の隆起リム部分に向かって、隆起リムの肉厚が徐々に薄くなるよう加工した飲み口又は注ぎ口を設けた請求項１記載のプルトップ液体収容缶。
【請求項５】
缶頂面の中心と前記開口の中心とを結ぶ直径方向ラインに交差する周縁の隆起リムの２個のポイント間で、前記開口の中心に関して近位のポイントに向かって隆起リムを下方に傾斜させた飲み口又は注ぎ口を設けた請求項１記載のプルトップ液体収容缶。
【請求項６】
前記隆起リムの加工部分に鋭利な端縁がないように加工した請求項１乃至５のうちのいずれか一項に記載のプルトップ液体収容缶。
【発明の詳細な説明】
【０００１】
【発明の属する技術分野】
本発明は、プルリングを操作することにより頂面脆弱部に開口を開けるプルトップ液体収容缶、特に、このような缶の注ぎ口又は飲み口の構造に関するものである。
【０００２】
【従来の技術】
従来の飲料、調味料、食用油等の液体収容缶は、図１に示すように、缶１の頂部周縁には隆起リム２が存在し、プルリング３を操作して開口４を開けるための脆弱部５を設ける缶頂面６には、隆起リム２に沿って環状窪み７が存在する。
【０００３】
【発明が解決しようとする課題】
しかし、従来のプルトップ液体収容缶１では、開封後に開口４から液体を注いだり飲んだりすると、飲料等の液体が周縁隆起リム２の内側に存在するこの環状窪み７に残留する傾向があった。
【０００４】
従って、本発明の目的は、開封後に開口から液体を注いだり飲んだりしたときに、飲料等の液体が周縁隆起リム内側のこの環状窪みに残留しないようにしたプルトップ液体収容缶を得るにある。
【０００５】
【課題を解決するための手段】
この目的を達成するため、本発明は、プルリングを操作することにより頂面脆弱部に開口を開けるプルトップ液体収容缶において、缶頂面の中心と前記開口の中心とを結ぶ直径方向ラインに交差する周縁の隆起リム部分を中心にして隆起リムを加工し、隆起リムの内側に存在する環状窪みが隆起リムによって堰止められず液体が流出し易い形状に飲み口又は注ぎ口を加工したことを特徴とする。
【０００６】
本発明プルトップ液体収容缶の好適な第１の実施例においては、缶頂面の中心と前記開口の中心とを結ぶ直径方向ラインに交差する周縁の隆起リム部分を中心にして、プレス又は切削加工により下方に窪んだ飲み口又は注ぎ口を設ける。
【０００７】
本発明プルトップ液体収容缶の好適な第２の実施例においては、缶頂面の中心と前記開口の中心とを結ぶ直径方向ラインに交差する周縁の隆起リム部分を中心にして半径方向外方かつ僅かに下方に円弧状に曲げ出す加工により飲み口又は注ぎ口を設ける。
【０００８】
本発明プルトップ液体収容缶の好適な第３の実施例においては、缶頂面の中心と開口の中心とを結ぶ直径方向ラインに交差する周縁の隆起リム部分に向かって、隆起リムの肉厚が徐々に薄くなるよう加工した飲み口又は注ぎ口を設ける。
【０００９】
本発明プルトップ液体収容缶の好適な第４の実施例においては、缶頂面の中心と前記開口の中心とを結ぶ直径方向ラインに交差する周縁の隆起リムの２個のポイント間で、前記開口の中心に関して近位のポイントに向かって隆起リムを下方に傾斜させた飲み口又は注ぎ口を設ける。
【００１０】
隆起リムの加工部分に鋭利な端縁がないように加工すると、例えば、飲料缶の場合に飲む人の唇を傷つけるのを確実に防止することができ、好適である。
【００１１】
【発明の実施の形態】
次に、図面につき本発明の好適な実施の形態を示す。
【００１２】
図２は本発明の好適な実施の形態としての第１実施例であるプルトップ液体収容缶１を示し、この実施の形態では、隆起リム２のうち缶頂面６の中心と開口４の中心とを結ぶ直径方向ライン８に交差する隆起リム部分を中心にして、プレス又は切削加工により下方に窪んだ飲み口又は注ぎ口９を設ける。図２の（ａ）はプレス加工により、図２の（ｂ）は切削加工により飲み口又は注ぎ口９を設けた実施の形態である。特に、人の唇が触れる飲料用の缶の場合、プレス又は切削加工するこの飲み口９には鋭利な端縁が存在しないように加工する。
【００１３】
図３は本発明の第２実施例であるプルトップ液体収容缶１を示し、この実施の形態では、隆起リム２のうち缶頂面６の中心と開口４の中心とを結ぶ直径方向ライン８に交差する隆起リム部分を中心にして半径方向外方かつ僅かに下方に円弧状に曲げ出す（図３の（ｂ）参照）加工により飲み口又は注ぎ口９Ａを設ける。特に、人の唇が触れる飲料用の缶の場合、曲げ出し加工するこの飲み口９Ａには鋭利な端縁が存在しないように加工する。
【００１４】
図４は本発明の第３実施例であるプルトップ液体収容缶１を示し、この実施の形態では、隆起リム２のうち缶頂面６の中心と開口４（脆弱部５）の中心とを結ぶ直径方向ライン８に交差する隆起リム部分に向かって、隆起リム２の肉厚が薄くなるよう加工した飲み口又は注ぎ口９Ｂを設ける。特に、人の唇が触れる飲料用の缶の場合、飲み口領域の中心に向かって肉厚が薄くなるよう加工した飲み口９Ｂには鋭利な端縁が存在しないように加工する。
【００１５】
図５は本発明の第４実施例であるプルトップ液体収容缶１を示し、この実施の形態では、缶頂面６の中心と開口４の中心とを結ぶ直径方向ライン８に交差する隆起リム２の２個のポイント間で、開口４の中心に関して近位のポイントに向かって隆起リム２を下方に傾斜させた飲み口又は注ぎ口９Ｃを設ける。図示の実施例では部分的にテーパを付けたものを示したが、全体的に飲み口に向かって下方に傾斜するテーパを付けることもできる。
【００１６】
【発明の効果】
本発明によれば、プルリングを操作することにより頂面脆弱部に開口を開けるプルトップ液体収容缶において、缶頂面の中心と前記開口の中心とを結ぶ直径方向ラインに交差する缶頂部周縁の隆起リム部分を中心にして隆起リムを加工し、隆起リムの内側に存在する環状窪みが隆起リムによって堰止められず液体が流出し易い形状に加工したため、開封後に開口から液体を注いだり飲んだりしたとき、飲料等の液体が周縁隆起リム内側のこの環状窪みに残留することを少なくすることができる。
【図面の簡単な説明】
【図１】従来のプルトップ液体収容缶を示し、（ａ）は缶の上方部分の斜視図、（ｂ）は平面図である。
【図２】本発明の好適な実施の形態としての第１実施例であるプルトップ液体収容缶１を示し、（ａ）はプレス加工で窪み付き飲み口又は注ぎ口を設ける実施例、（ｂ）は切削加工で窪み付き飲み口又は注ぎ口を設ける実施例の斜視図である。
【図３】本発明の第２実施例であるプルトップ液体収容缶１の上方部分を示し、（ａ）は斜視図、（ｂ）は断面図である。
【図４】本発明の第３実施例であるプルトップ液体収容缶１の上方部分の斜視図である。
【図５】本発明の第４実施例であるプルトップ液体収容缶１の上方部分の断面図である。
【符号の説明】
１　缶
２　隆起リム
３　プルリング
４　開口
５　脆弱部
６　缶頂面
７　環状窪み
８　直径方向ライン
９，９Ａ，９Ｂ，９Ｃ　飲み口又は注ぎ口
【図１】
2004091022.tif 000003
【図２】
2004091022.tif 000004
【図３】
2004091022.tif 000005
【図４】
2004091022.tif 000006
【図５】
2004091022.tif 000007